(57)【要約】【課題】前面パネルを備えた構成の空気調和機において、簡単且つ安価な構成でファン騒音の低減を実現する。【解決手段】ベルマウス６に対向して前面パネル１０を配置し、該前面パネル１０とベルマウス６との間の空間部を空気の吸込流路９とした空気調和機において、該吸込流路９に臨む前面パネル１０の裏面１０ｂの外縁１０ｅ寄り部位に、該吸込流路９側へ膨出する膨出部１１を設ける。係る構成によれば、膨出部１１によって前面パネル１０の外縁１０ｅ部分での空気の剥離が可及的に防止され、吸込空気の乱れに起因するファン騒音が低減され、空気調和機の静粛運転が実現される。また、前面パネル１０に膨出部１１を設けるという簡単且つ安価な構成であることから、静粛運転性の高い空気調和機を安価に提供できる。【選択図】図１
2010127480.tif 000002
【特許請求の範囲】
【請求項１】
ケーシング（１）内に収容されたファン（５）の吸込側に配置されたベルマウス（６）に対向して前面パネル（１０）が配置され、該前面パネル（１０）と上記ベルマウス（６）との間に形成される空間部を上記ファン（５）への空気の吸込流路（９）とした空気調和機であって、
上記前面パネル（１０）の上記ベルマウス（６）に対向する面（１０ｂ）の外縁（１０ｅ）寄り部位に、上記吸込流路（９）側へ膨出する膨出部（１１）が設けられていることを特徴とする空気調和機。
【請求項２】
請求項１において、
上記膨出部（１１）は、少なくとも上記前面パネル（１０）の外縁（１０ｅ）に対応する前端部（１１ａ）から該前面パネル（１０）の上記面（１０ｂ）からの高さが最も高い最高位点（１１ｃ）までの範囲が連続した曲面とされていることを特徴とする空気調和機。
【請求項３】
請求項１又は２において、
上記前面パネル（１０）は略矩形の平面形状とされ、上記膨出部（１１）は、上記前面パネル（１０）の各辺の長さ方向略中央部においてその辺長さの略１／３の範囲に設けられていることを特徴とする空気調和機。
【請求項４】
請求項１、２又は３において、
上記前面パネル（１０）は、上記ベルマウス（６）に対して接離する方向へ移動可能とされ、且つ該ベルマウス（６）からの離間状態においては上記吸込流路（９）が確保され、該ベルマウス（６）への接近状態においては他の構造物との干渉が回避されるように移動範囲が設定されていることを特徴とする空気調和機。
【請求項５】
請求項１，２，３又は４において、
上記前面パネル（１０）の裏面（１０ｂ）側の上記吸込流路（９）内にエアフィルタ（１８）が配置されていることを特徴とする空気調和機。
【請求項６】
請求項１，２，３又は４において、
上記前面パネル（１０）の裏面（１０ｂ）側の上記吸込流路（９）内に熱交換器（７）が配置されていることを特徴とする空気調和機。
【請求項７】
請求項１，２，３又は４において、
上記前面パネル（１０）の裏面（１０ｂ）側の上記吸込流路（９）内に空気浄化エレメント（１９）が配置されていることを特徴とする空気調和機。
【発明の詳細な説明】
【技術分野】
【０００１】
本願発明は、ファンの吸込側に配置されたベルマウスに対向して前面パネルが配置され、該前面パネルと上記ベルマウスとの間に形成される空間部を上記ファンへの空気の吸込流路とした空気調和機に関するものである。
【背景技術】
【０００２】
空気調和機、特に天井埋込型の空気調和機の室内機は、天井面側に露出配置される化粧パネルの中央部に吸込口を、周辺部に吹出口を設けており、上記吸込口から室内空気を吸い込むようになっている（例えば、特許文献１参照）。この場合、上記吸込口には格子状の吸込グリルが配置され、該吸込グリルを通して空気を吸い込むようになっている。
【０００３】
しかし、上記吸込グリルは常時室内に露出しており、しかも長期の使用によって該吸込グリルの格子部分に埃が付着し汚れを生じることから、化粧パネルの意匠性が損なわれ、延いては空気調和機そのものの商品価値が低下することになり、好ましくない。
【０００４】
このような事情を考慮して、上記吸込グリルに代えて、平板状の前面パネルを上記吸込口に離間対向状態で配置し、該前面パネルと上記吸込口の間に形成される隙間空間を該吸込口への吸込流路として利用し、これによって化粧パネル全体の意匠性を高めるようにした技術が提案されている（例えば、特許文献２、特許文献３参照）。
【０００５】
【特許文献１】特開２００８−０７５８９７号公報
【特許文献２】特開２００８−２６１５１９号公報
【特許文献３】特開２００８−２０９０９９号公報
【発明の開示】
【発明が解決しようとする課題】
【０００６】
ところが、このような前面パネルを備えた構成の空気調和機においては、以下のような問題がある。
【０００７】
図１０には、前面パネルを備えた構成の空気調和機の化粧パネル６１を室内側から見上げた状態を示している。この化粧パネル６１の中央部には吸込口６３が、周辺部には吹出口６４が備えられている。また、上記吸込口６３には遠心ファン６６のファン吸込口６７が臨むとともに、該吸込口６３の前面側には前面パネル６２が配置されており、該前面パネル６２と上記吸込口６３との隙間空間が上記ファン吸込口６７側への空気の吸込流路６５として機能するようになっている。
【０００８】
また、図１０には、上記吸込流路６５を通って上記ファン吸込口６７に吸い込まれる空気流を流線Ａａ，Ａｂで示している。空気流Ａａは上記前面パネル６２に外縁６２ａの中央寄り部分から吸い込まれる空気流であり、空気流Ａｂは上記外縁６２ａの両側部分から吸い込まれる空気流である。
【０００９】
ここで、上記前面パネル６２の外縁６２ａの中央寄り部分から吸い込まれる空気流Ａａは、該外縁６２ａに対して略直交する方向から流入することから、該外縁６２ａ部分での空気流の剥離によって流通抵抗が大きくなり、その結果、上記ファン吸込口６７側への到達距離が短くなる傾向にある。これに対して、上記外縁６２ａの両側部分から吸い込まれる空気流Ａｂは、該外縁６２ａに対して斜め方向から流入することから、該外縁６２ａでの剥離が少なく流通抵抗が比較的小さく維持され、その結果、上記ファン吸込口６７側への到達距離が長くなる傾向にある。
【００１０】
係る空気流の流通抵抗の差に起因する到達距離の相違によって、上記ファン吸込口６７に吸い込まれる空気の流れ状態が該ファン吸込口６７の周方向において不均一となり、その結果、吸込空気の乱れが大きくなり、ファン騒音が増大するという問題があった。
【００１１】
そこで、本願発明では、前面パネルを備えた構成の空気調和機において、簡単且つ安価な構成でファン騒音の低減を実現することを目的としてなされたものである。
【課題を解決するための手段】
【００１２】
本願発明ではかかる課題を解決するための具体的手段として次のような構成を採用している。
【００１３】
本願の第１の発明では、ケーシング１内に収容されたファン５の吸込側に配置されたベルマウス６に対向して前面パネル１０を配置し、該前面パネル１０と上記ベルマウス６との間に形成される空間部を上記ファン５への空気の吸込流路９とした空気調和機において、上記前面パネル１０の上記ベルマウス６に対向する面１０ｂの外縁１０ｅ寄り部位に、上記吸込流路９側へ膨出する膨出部１１を設けたことを特徴としている。
【００１４】
本願の第２の発明では、上記第１の発明に係る空気調和機において、上記膨出部１１を、少なくとも上記前面パネル１０の外縁１０ｅに対応する前端部１１ａから該前面パネル１０の上記面１０ｂからの高さが最も高い最高位点１１ｃまでの範囲を連続した曲面としたことを特徴としている。
【００１５】
本願の第３の発明では、上記第１又は第２の発明に係る空気調和機において、上記前面パネル１０を略矩形の平面形状とし、上記膨出部１１を、上記前面パネル１０の各辺の長さ方向略中央部においてその辺長さの略１／３の範囲に設けたことを特徴としている。
【００１６】
本願の第４の発明では、上記第１、第２又は第３の発明に係る空気調和機において、上記前面パネル１０を、上記ベルマウス６に対して接離する方向へ移動可能とし、且つ該ベルマウス６からの離間状態においては上記吸込流路９が確保され、該ベルマウス６への接近状態においては他の構造物との干渉が回避されるように移動範囲を設定したことを特徴としている。
【００１７】
本願の第５の発明では、上記第１、第２、第３又は第４の発明に係る空気調和機において、上記前面パネル１０の裏面１０ｂ側の上記吸込流路９内にエアフィルタ１８を配置したことを特徴としている。
【００１８】
本願の第６の発明では、上記第１、第２、第３又は第４の発明に係る空気調和機において、上記前面パネル１０の裏面１０ｂ側の上記吸込流路９内に熱交換器７を配置したことを特徴としている。
【００１９】
本願の第７の発明では、上記第１、第２、第３又は第４の発明に係る空気調和機において、上記前面パネル１０の裏面１０ｂ側の上記吸込流路９内に空気浄化エレメント１９を配置したことを特徴としている。
【発明の効果】
【００２０】
本願発明では次のような効果が得られる。
【００２１】
（ａ）本願の第１の発明に係る空気調和機によれば、上記前面パネル１０の上記ベルマウス６に対向する面１０ｂの外縁１０ｅ寄り部位に、上記吸込流路９側へ膨出する膨出部１１を設けているので、該前面パネル１０の外縁１０ｅの外側を通って上記吸込流路９に流入する空気流は、上記膨出部１１の表面に案内されてスムーズにファン吸込口５４側へ流れ、上記外縁１０ｅ部分での剥離が可及的に防止され、吸込空気の乱れに起因するファン騒音が低減され、空気調和機の静粛運転が実現される。
【００２２】
また、上記前面パネル１０に上記膨出部１１を設けるという簡単且つ安価な構成であることから、静粛運転性の高い空気調和機を安価に提供できる。
【００２３】
（ｂ）本願の第２の発明に係る空気調和機によれば、上記膨出部１１が、少なくとも上記前面パネル１０の外縁１０ｅに対応する前端部１１ａから該前面パネル１０の上記面１０ｂからの高さが最も高い最高位点１１ｃまでの範囲を連続した曲面としているので、該膨出部１１による吸込空気のガイド作用が促進され、上記（ａ）に記載の効果が一層促進される。
【００２４】
（ｃ）本願の第３の発明に係る空気調和機によれば、上記（ａ）又は（ｂ）に記載の効果に加えて以下のような特有の効果が得られる。即ち、この発明の空気調和機では、上記前面パネル１０を略矩形の平面形状とし、上記膨出部１１を、上記前面パネル１０の各辺の長さ方向略中央部においてその辺長さの略１／３の範囲に設けているので、ファン吸込口５４に吸い込まれる空気の流れ状態が該ファン吸込口５４の周方向において可及的に均一化され、吸込空気の乱れが抑制されることで、ファン騒音が可及的に低減される。
【００２５】
即ち、上記前面パネル１０に上記膨出部１１が設けられていない場合には、該前面パネル１０の外縁１０ｅの中央寄り部分から吸い込まれる空気流と、該前面パネル１０の外縁１０ｅの両側部分から吸い込まれる空気流の間における流通抵抗の差が大きく、それによって上記ファン吸込口５４側への空気流の到達距離が相違し、その結果、該ファン吸込口５４に吸い込まれる空気の流れ状態が該ファン吸込口５４の周方向において不均一となり、ファン騒音の増大につながることは既述の通りである。
【００２６】
しかし、この発明では、上記膨出部１１を、上記前面パネル１０の各辺の長さ方向略中央部においてその辺長さの略１／３の範囲に設けているので、上記前面パネル１０の外縁１０ｅの中央寄り部分から吸い込まれる空気流は、該外縁１０ｅに対して略直交する方向から流入するものの、上記膨出部１１に案内され、該外縁１０ｅに衝突することなくスムーズに流れてその流速が維持されることから、上記ファン吸込口５４側への到達距離が長くなる。一方、上記前面パネル１０の外縁１０ｅの両側部分から吸い込まれる空気流は、該外縁１０ｅに対して斜め方向から流入するため上記外縁１０ｅへの衝突が少なく流速が大きいが、上記膨出部１１が存在することで、膨出部１１の側部近傍に衝突してその流速が低下し、それだけ上記ファン吸込口５４側への到達距離が短くなる。
【００２７】
このような上記前面パネル１０の外縁１０ｅの中央寄り部分から吸い込まれる空気流における到達距離の伸長化と、上記前面パネル１０の外縁１０ｅの両側部分から吸い込まれる空気流における到達距離の短縮化の相乗作用によって、上記ファン吸込口５４に吸い込まれる空気の流れ状態が該ファン吸込口５４の周方向において可及的に均一化され、吸込空気の乱れが抑制されることで、ファン騒音が可及的に低減されるものである。
【００２８】
（ｄ）本願の第４の発明に係る空気調和機によれば、上記（ａ）、（ｂ）又は（ｃ）に記載の効果に加えて以下のような特有の効果が得られる。即ち、この発明の空気調和機では、上記前面パネル１０を、上記ベルマウス６に対して接離する方向へ移動可能とし、且つ該ベルマウス６からの離間状態においては上記吸込流路９が確保され、該ベルマウス６への接近状態においては他の構造物との干渉が回避されるように移動範囲を設定しているので、空気調和機の運転状態下における機能確保と、運転停止状態下における美観性の確保が両立される。
【００２９】
（ｅ）本願の第５の発明に係る空気調和機によれば、上記（ａ）、（ｂ）、（ｃ）又は（ｄ）に記載の効果に加えて以下のような特有の効果が得られる。即ち、この発明の空気調和機では、上記前面パネル１０の裏面１０ｂ側の上記吸込流路９内にエアフィルタ１８を配置しているので、上記ケーシング１内にエアフィルタ１８の配置スペースを確保する必要がなく、それだけ空気調和機のコンパクト化が促進される。
【００３０】
（ｆ）本願の第６の発明に係る空気調和機によれば、上記（ａ）、（ｂ）、（ｃ）又は（ｄ）に記載の効果に加えて以下のような特有の効果が得られる。即ち、この発明の空気調和機では、上記前面パネル１０の裏面１０ｂ側の上記吸込流路９内に熱交換器７を配置しているので、上記ケーシング１内に熱交換器７の配置スペースを確保する必要がないことから、空気調和機のコンパクト化が促進される。
【００３１】
（ｇ）本願の第７の発明に係る空気調和機によれば、上記（ａ）、（ｂ）、（ｃ）又は（ｄ）に記載の効果に加えて以下のような特有の効果が得られる。即ち、この発明の空気調和機では、上記前面パネル１０の裏面１０ｂ側の上記吸込流路９内に空気浄化エレメント１９を配置しているので、上記ケーシング１内に上記空気清浄エレメント１９の配置スペースを確保する必要がないことから、空気調和機のコンパクト化が促進される。
【発明を実施するための最良の形態】
【００３２】
以下、本願発明を好適な実施形態に基づいて具体的に説明する。
「第１の実施形態」
図１及び図２には、本願発明の第１の実施形態に係る空気調和機の天井埋込型の室内機Ｚ１を示している。この室内機Ｚ１は、天井１４内に埋め込み状態で配置されるケーシング１の下端開口部に室内側から化粧パネル２を取付けるとともに、該化粧パネル２の中央部に開口した吸込口３から該化粧パネル２の外縁寄り部位で上記吸込口３の外側を取り囲むように開口した吹出口４に至る通風路内に、モータ８によって回転駆動される遠心ファン５と熱交換器７を、該熱交換器７によって上記遠心ファン５の外周側を取り囲むように配置して構成される。
【００３３】
上記吸込口３は、矩形の平面形状をもつ開口とされ、その空気下流側部位と上記遠心ファン５のファン吸込口５４の間には、ベルマウス６が配置されている。さらに、上記吸込口３の空気上流側の開口端（即ち、上記化粧パネル２の表面上の開口端）に対向するようにして、次述の前面パネル１０が配置されている。
【００３４】
上記前面パネル１０は、図１〜図３に示すように、上記吸込口３の内側へ収容可能な大きさをもつ矩形の平板体で構成される。そして、上記前面パネル１０の表裏両面１０ａ、１０ｂのうち、表面１０ａは平滑面とされる一方、裏面１１ｂには膨出部１１が設けられている。この膨出部１１は、矩形の平面形状を有し、且つその表面を、その前端部１１ａから後端部１１ｂにかけて滑らかに湾曲する膨出曲面としている。なお、この膨出曲面は、上記前端部１１ａ側の曲率を大きく、後端部１１ｂ側の曲率を小さく設定しており、従って、その最高位点１１ｃは前端部１１ａと後端部１１ｂの中間位置よりも前端部１１ａ寄りに位置している。
【００３５】
また、上記膨出部１１の幅寸法は、上記前面パネル１０の各辺の長さをＬとした場合、略「Ｌ／３」に設定されている。この膨出部１１の幅寸法の設定は、上記吸込流路９から上記前面パネル１０の各辺の外側を通って吸込まれる空気流の該各辺に対する平面上の傾斜角度を考慮したものである。
【００３６】
そして、上記膨出部１１は、上記前面パネル１０の各辺の外縁１０ｅに上記前端部１１ａを略合致させた状態で、各辺の幅方向略中央にそれぞれ設置されている。従って、上記前面パネル１０の裏面１１ｂは、各辺にそれぞれ対応して配置された四個の膨出部１１によって、該前面パネル１０の裏面隅部で且つ隣接する一対の膨出部１１，１１の側部で囲まれた四個の隅部１０ｃと、該前面パネル１０の裏面中央部で該各膨出部１１，１１，・・で囲まれた中央部１０ｄに区画された状態となっている。
【００３７】
なお、図３において符号５４を付した鎖線円は、説明の便宜上、上記前面パネル１０の裏面１１ｂに離間対向して配置される上記遠心ファン５のファン吸込口５４の投影位置を示したものである。
【００３８】
以上のように構成された上記前面パネル１０は、図１及び図２に示すように、上記各膨出部１１が設けられた裏面１１ｂを上記ベルマウス６に対向させた状態で、上記化粧パネル２側に取付けられる。この場合、上記前面パネル１０は、図示しない適宜の支持機構によって、図１に示すように上記化粧パネル２の表面からさらに下方へ所定寸法だけ下がった位置（以下、この位置を「運転時位置」という）と、図５に示すように、上記前面パネル１０の表面１０ａが上記化粧パネル２の表面と略同一高さとなる位置（以下、この位置を「運転停止時位置」という）の間で昇降可能とされている。
【００３９】
そして、図１に示す「運転時位置」では、上記ベルマウス６と前面パネル１０の間に、該前面パネル１０の各外縁１０ｅの外側を通って上記遠心ファン５のファン吸込口５４に至る吸込流路９が形成される。また、図５に示す「運転停止時位置」では、上記化粧パネル２の表面のフラット化が実現され、その美観性が良好となる。
【００４０】
ここで、上記室内機Ｚ１の運転時における空気流の状態を、図１及び図４を参照して説明する。
【００４１】
図１に流線Ａで示すように、上記遠心ファン５の運転に伴って、室内空気は上記前面パネル１０の周囲から、該前面パネル１０と上記ベルマウス６の間に形成された吸込流路９を通って上記遠心ファン５のファン吸込口５４側へ吸い込まれる。この場合、上記膨出部１１が、上記前面パネル１０の外縁１０ｅに対応する前端部１１ａから該前面パネル１０の上記面１０ｂからの高さが最も高い最高位点１１ｃまでの範囲を連続した曲面としているので、該膨出部１１による吸込空気のガイド作用が促進され、空気流Ａの上記吸込流路９内への流入がスムーズとなる。さらに、上記最高位点１１ｃから後端部１１ｂにかけての部分も連続した曲面とされているので、該部分での空気流の乱れが可及的に抑制される。これらの相乗効果として、空気流の吸込抵抗が低減されることになる。
【００４２】
この空気流の流れを平面的に示したのが図４である。即ち、図１に示した空気流Ａは、これを平面的に見た場合、図４に示すように、上記前面パネル１０の各辺のそれぞれに対応する部位から上記吸込流路９を通って上記遠心ファン５のファン吸込口５４に吸い込まれるが、各辺における流れは一様ではなく、上記前面パネル１０の外縁１０ｅ上の位置によって異なる。
【００４３】
例えば、上記前面パネル１０に上記膨出部１１が設けられていない場合には、該前面パネル１０の外縁１０ｅの中央寄り部分から吸い込まれる空気流Ａ１，Ａ２は、該外縁１０ｅに対して略直交する方向から流入することから、該外縁１０ｅ部分での空気流の剥離によって流通抵抗が大きくなり、その結果、上記遠心ファン５のファン吸込口５４側への到達距離が短くなる傾向にある。
【００４４】
これに対して、上記前面パネル１０の外縁１０ｅの両側部分から吸い込まれる空気流Ａ３は、該外縁１０ｅに対して斜め方向から流入することから、該外縁１０ｅでの剥離が少なく流通抵抗が比較的小さく維持され、その結果、上記遠心ファン５のファン吸込口５４側への到達距離が長くなる傾向にある。
【００４５】
係る空気流の流通抵抗の差に起因する到達距離の相違によって、上記ファン吸込口５４に吸い込まれる空気の流れ状態が該ファン吸込口５４の周方向において不均一となり、その結果、吸込空気の乱れが大きくなり、ファン騒音が増大することは既述の通りである（図１０参照）。
【００４６】
ところが、この実施形態の室内機Ｚ１では、上記前面パネル１０に上記膨出部１１を、該前面パネル１０の各辺の長さ方向略中央部においてその辺長さの略１／３の範囲に設けているので、
（イ）  上記前面パネル１０の外縁１０ｅの中央寄り部分から吸い込まれる空気流Ａ１，Ａ２は、該外縁１０ｅに対して略直交する方向から流入するものの、上記膨出部１１に案内され、該外縁１０ｅに衝突することなくスムーズに流れてその流速が可及的に維持され、その結果、該空気流Ａ１，Ａ２の上記ファン吸込口５４側への到達距離が長くなる。
（ロ）  上記前面パネル１０の外縁１０ｅの両側部分から吸い込まれる空気流Ａ３は、該外縁１０ｅに対して斜め方向から流入するため上記外縁１０ｅへの衝突が少なく流速が大きいが、その流路中に上記膨出部１１が存在することで、膨出部１１の側部近傍に衝突してその流速が低下し、その結果、該空気流Ａ３の上記ファン吸込口５４側への到達距離が短くなる。
【００４７】
このような上記前面パネル１０の外縁１０ｅの中央寄り部分から吸い込まれる空気流Ａ１，Ａ２の上記ファン吸込口５４側への到達距離の伸長化と、上記前面パネル１０の外縁１０ｅの両側部分から吸い込まれる空気流Ａ３における到達距離の短縮化の相乗作用によって、上記ファン吸込口５４に吸い込まれる空気の流れ状態は、該ファン吸込口５４の周方向において可及的に均一化される。この結果、上記ファン吸込口５４近傍における吸込空気の乱れが抑制され、空気の乱れに起因するファン騒音が可及的に低減され、延いては室内機Ｚ１の静粛運転が実現されることになる。
「第２の実施形態」
図６には、本願発明の第２の実施形態に係る空気調和機の壁掛型（図７参照）又は床置型（図８参照）の室内機Ｚ２を示している。この室内機Ｚ２は、壁掛設置又は床置設置されるケーシング１内に流路形成材１５を収納配置している。上記流路形成材１５は、その中央部に吸込口３を、該吸込口３の左右両側に（壁掛型の場合）、又は該吸込口３の上下両側に（床置型の場合）に吹出口４を、それぞれ設けている。
【００４８】
そして、上記吸込口３から上記吹出口４に至る通風路内に、モータ８によって回転駆動される遠心ファン５が配置されている。また、上記吸込口３は、矩形の平面形状をもつ開口とされ、その空気下流側部位と上記遠心ファン５のファン吸込口５４の間には、ベルマウス６が配置されている。
【００４９】
上記吸込口３内には、上記ベルマウス６に対向した状態で熱交換器７が配置され、さらに該熱交換器７の吸込み側にはエアフィルタ１８が配置されている。
【００５０】
さらに、上記吸込口３の空気上流側の開口端（即ち、上記流路形成材１５の表面上の開口端）には、上記エアフィルタ１８及び熱交換器７に離間対向するようにして、前面パネル１０が配置されている。
【００５１】
なお、上記前面パネル１０は、上記第１の実施形態における前面パネル１０と同様に、その各辺の中央部に、辺長さの略１／３の幅寸法をもつ膨出部１１を備えて構成される。また、上記前面パネル１０は適宜の支持機構によって上記エアフィルタ１８に接離する方向に移動可能とされ、且つ該エアフィルタ１８から離間状態においては該エアフィルタ１８と上記前面パネル１０の間に、吸込流路９が形成される点も、上記第１の実施形態における前面パネル１０と同様である。
【００５２】
以上のように構成された室内機Ｚ２においては、上記第１の実施形態に係る室内機Ｚ１の場合と同様に、上記前面パネル１０に上記膨出部１１を、該前面パネル１０の各辺の長さ方向略中央部においてその辺長さの略１／３の範囲に設けているので、上記前面パネル１０の外縁１０ｅの中央寄り部分から吸い込まれる空気流の上記ファン吸込口５４側への到達距離の長大化と、上記前面パネル１０の外縁１０ｅの両側部分から吸い込まれる空気流における到達距離の短小化の相乗作用によって、上記ファン吸込口５４に吸い込まれる空気の流れ状態は、該ファン吸込口５４の周方向において可及的に均一化され、これによって空気の乱れに起因するファン騒音が可及的に低減されるという効果が得られるものである。
「第３の実施形態」
図９には、本願発明の第３の実施形態に係る空気調和機の壁掛型（図７参照）又は床置型（図８参照）の空気清浄機Ｚ３を示している。この空気清浄機Ｚ３は、壁掛設置又は床置設置されるものであって、ケーシング１内に流路形成材１５を収納配置している。上記流路形成材１５は、その中央部に吸込口３を、該吸込口３の左右両側に（壁掛型の場合）、又は該吸込口３の上下両側に（床置型の場合）に吹出口４を、それぞれ設けている。
【００５３】
そして、上記吸込口３から上記吹出口４に至る通風路内に、モータ８によって回転駆動される遠心ファン５が配置されている。また、上記吸込口３は、矩形の平面形状をもつ開口とされ、その空気下流側部位と上記遠心ファン５のファン吸込口５４の間には、ベルマウス６が配置されている。
【００５４】
上記吸込口３内には、上記ベルマウス６に対向した状態で空気清浄エレメント１９が配置され、さらに該空気清浄エレメント１９の吸込み側にはエアフィルタ１８が配置されている。
【００５５】
さらに、上記吸込口３の空気上流側の開口端（即ち、上記流路形成材１５の表面上の開口端）には、上記エアフィルタ１８及び空気清浄エレメント１９に離間対向するようにして、前面パネル１０が配置されている。
【００５６】
なお、上記前面パネル１０は、上記第１の実施形態における前面パネル１０と同様に、該前面パネル１０の各辺の中央部に、辺長さの略１／３の幅寸法をもつ膨出部１１を備えて構成される。また、上記前面パネル１０は適宜の支持機構によって上記エアフィルタ１８に接離する方向に移動可能とされ、且つ該エアフィルタ１８から離間状態においては該エアフィルタ１８と上記前面パネル１０の間に、吸込流路９が形成される点も同様である。
【００５７】
以上のように構成された空気清浄機Ｚ３においては、上記前面パネル１０に上記膨出部１１を、該前面パネル１０の各辺の長さ方向略中央部においてその辺長さの略１／３の範囲に設けているので、上記前面パネル１０の外縁１０ｅの中央寄り部分から吸い込まれる空気流の上記ファン吸込口５４側への到達距離の伸長化と、上記前面パネル１０の外縁１０ｅの両側部分から吸い込まれる空気流における到達距離の短縮化の相乗作用によって、上記ファン吸込口５４に吸い込まれる空気の流れ状態は、該ファン吸込口５４の周方向において可及的に均一化され、これによって空気の乱れに起因するファン騒音が可及的に低減され、静粛性の高い空気清浄機が得られるものである。
【００５８】
「その他」
（１）  上記各室内機Ｚ１、Ｚ２及び空気清浄機Ｚ３においては、上記前面パネル１０に膨出部１１を設ける場合、該膨出部１１を、上記前面パネル１０の各辺の長さ方向略中央部においてその辺長さの略１／３の範囲に限定的に設けているが、本願発明の他の実施形態においては、上記膨出部１１を上記前面パネル１０の各辺の全長に亘って設けることもできるものである。
【図面の簡単な説明】
【００５９】
【図１】本願発明の第１の実施形態に係る天井埋込型室内機の縦断面図である。
【図２】図１のＩＩ−ＩＩ矢視図である。
【図３】図１に示した前面パネルの斜視図である。
【図４】上記室内機における空気の吸込状態説明図である。
【図５】図１に示した室内機の形態変化図である。
【図６】本願発明の第２の実施形態に係る壁掛型又は床置型室内機の縦断面図である。
【図７】壁掛型室内機の外観斜視図である。
【図８】床置型室内機の外観斜視図である。
【図９】本願発明の第３の実施形態に係る空気清浄機の縦断面図である。
【図１０】従来の室内機における空気の吸込状態説明図である。
【符号の説明】
【００６０】
１    ・・ケーシング
２    ・・化粧パネル
３    ・・吸込口
４    ・・吹出口
５    ・・遠心ファン
６    ・・ベルマウス
７    ・・熱交換器
８    ・・モータ
９    ・・吸込流路
１０  ・・前面パネル
１１  ・・膨出部
１５  ・・流路形成材
１８  ・・エアフィルタ
１９  ・・空気清浄エレメント
５１  ・・主板
５２  ・・シュラウド
５３  ・・羽根
５４  ・・ファン吸込口
５５  ・・ファン吹出口
Ｚ１  ・・室内機
Ｚ２  ・・室内機
Ｚ３  ・・空気清浄機
【図１】
2010127480.tif 000003
【図２】
2010127480.tif 000004
【図３】
2010127480.tif 000005
【図４】
2010127480.tif 000006
【図５】
2010127480.tif 000007
【図６】
2010127480.tif 000008
【図７】
2010127480.tif 000009
【図８】
2010127480.tif 000010
【図９】
2010127480.tif 000011
【図１０】
2010127480.tif 000012